(57)【要約】【課題】  移動量検出装置の防水性及び防塵性を容易に高めることができるキースイッチを提供する。【解決手段】  キースイッチとしてのジョグダイヤルスイッチ１１は、キーシートと、そのキーシート上に回動可能に設けられたキートップ３１と、キートップ３１の移動量を検出する移動量検出装置とを備えている。移動量検出装置は、キートップ３１に設けられた４個の永久磁石４１と、３個のホール素子４２と、各ホール素子４２から出力された信号を処理する電気回路４３とを備えている。ホール素子４２及び電気回路４３はキーシートの下方に配置されている。キーシートは、防水性等を有する材料により、電気回路４３を覆うように形成されている。【選択図】      図１
2006073251.tif 000002
【特許請求の範囲】
【請求項１】
筐体内に設けられたキーシートと、キーシート上に移動可能に設けられたキートップと、キートップの移動量を検出する移動量検出装置とを備えるキースイッチであって、
前記移動量検出装置は、キートップに設けられる磁石と、キーシートの内部又は下方に設けられる磁気検出センサと、キーシートの下方に設けられ、磁気検出センサから出力された信号を処理する電気回路とを備え、
前記キーシートは、防水性及び磁気透過性を有する材料により、電気回路を覆うように形成されていることを特徴とするキースイッチ。
【請求項２】
前記キートップは、透光性を有する合成樹脂材料により形成されるとともに、鍔部を備え、
鍔部が筐体内に位置し、
前記磁石が鍔部に設けられている請求項１に記載のキースイッチ。
【請求項３】
筐体内に設けられたキーシートと、キーシート上に移動可能に設けられたキートップと、キートップの移動量を検出する移動量検出装置とを備えるキースイッチであって、
前記移動量検出装置は、キートップに設けられる反射部材と、光源と、キーシートの内部又は下方に設けられる光検出センサと、キーシートの下方に設けられ、光検出センサから出力された信号を処理する電気回路とを備え、
前記キーシートは、防水性及び透光性を有する材料により、電気回路を覆うように形成されていることを特徴とするキースイッチ。
【請求項４】
前記キートップが透光性を有する合成樹脂材料により形成され、
前記反射部材はキートップの内部又は下方に設けられ、反射部材の表面が装飾面を構成している請求項３に記載のキースイッチ。
【発明の詳細な説明】
【技術分野】
【０００１】
本発明は、リモートコントローラ、各種キーボード、携帯電話、ＰＤＡ（Personal Digital Assistance）、ＤＳＣ（Digital Still Camera）等の電子機器の入力操作に用いられるキースイッチに関する。
【背景技術】
【０００２】
従来、電子機器の入力操作に用いられるキースイッチとしては、特許文献１に開示されているものが知られている。キースイッチは携帯電話等の筐体内に設けられたキーシートと、そのキーシート上に移動可能に設けられたキートップと、キートップの移動量を検出する移動量検出装置とを備えている。キートップは、筐体に形成された開口部内に配置されている。移動量検出装置は、キートップに設けられる複数の磁石と、磁気検出部材とを備えている。磁気検出部材はキーシート上に設けられ、磁気検出センサ、ＣＰＵ（中央演算装置）等の信号処理部、及びそれらを接続する配線を有する電気回路からなる。
【特許文献１】特開２００４−２２０３６９号公報
【発明の開示】
【発明が解決しようとする課題】
【０００３】
ところが、筺体内には、開口部とキートップとの間から雨水等の水や塵が侵入し易い。筐体内に侵入した水や塵はキーシート上の電気回路に容易に接触する。このため、電気回路がショートしたり漏電したりするために、移動量検出装置の防水性や防塵性が低いという問題があった。
【０００４】
本発明は、このような従来技術に存在する問題点に着目してなされたものである。その目的とするところは、移動量検出装置の防水性及び防塵性を容易に高めることができるキースイッチを提供することにある。
【課題を解決するための手段】
【０００５】
上記の目的を達成するために、請求項１に記載の発明のキースイッチは、筐体内に設けられたキーシートと、キーシート上に移動可能に設けられたキートップと、キートップの移動量を検出する移動量検出装置とを備えるキースイッチであって、前記移動量検出装置は、キートップに設けられる磁石と、キーシートの内部又は下方に設けられる磁気検出センサと、キーシートの下方に設けられ、磁気検出センサから出力された信号を処理する電気回路とを備え、前記キーシートは、防水性及び磁気透過性を有する材料により、電気回路を覆うように形成されていることを要旨とする。
【０００６】
請求項２に記載の発明のキースイッチは、請求項１に記載の発明において、前記キートップは、透光性を有する合成樹脂材料により形成されるとともに、鍔部を備え、鍔部が筐体内に位置し、前記磁石が鍔部に設けられていることを要旨とする。
【０００７】
請求項３に記載の発明のキースイッチは、筐体内に設けられたキーシートと、キーシート上に移動可能に設けられたキートップと、キートップの移動量を検出する移動量検出装置とを備えるキースイッチであって、前記移動量検出装置は、キートップに設けられる反射部材と、光源と、キーシートの内部又は下方に設けられる光検出センサと、キーシートの下方に設けられ、光検出センサから出力された信号を処理する電気回路とを備え、前記キーシートは、防水性及び透光性を有する材料により、電気回路を覆うように形成されていることを要旨とする。
【０００８】
請求項４に記載の発明のキースイッチは、請求項３に記載の発明において、前記キートップが透光性を有する合成樹脂材料により形成され、前記反射部材はキートップの内部又は下方に設けられ、反射部材の表面が装飾面を構成していることを要旨とする。
【発明の効果】
【０００９】
本発明によれば、移動量検出装置の防水性及び防塵性を容易に高めることができる。
【発明を実施するための最良の形態】
【００１０】
（第１の実施形態）
以下、本発明を携帯電話のジョグダイヤルスイッチに具体化した第１の実施形態を図面に基づいて説明する。
【００１１】
図１（ａ）及び（ｂ）に示すように、キースイッチとしてのジョグダイヤルスイッチ１１は携帯電話の筐体１２内に配置され、携帯電話の入力操作に用いられる。ジョグダイヤルスイッチ１１は、キーシート２１と、そのキーシート２１上に設けられた円形状のキートップ３１と、移動量検出装置とを備えている。
【００１２】
キーシート２１は、防水性、磁気透過性及び透光性を有する材料により形成されている。具体的には、キーシート２１は、ポリエチレンテレフタレート（ＰＥＴ）フィルム等の透明又は半透明な合成樹脂フィルム、シート状をなし透明又は半透明なエラストマー成形体、又はアルミニウムシート等の金属シートからなる。ここで、半透明な合成樹脂フィルムやエラストマー成形体の透明度は、透明の場合に比べて低いものの照射された光の一部が透過できる程度にまで高められている。金属シートからなるキーシート２１の厚さは、該キーシート２１が防水性だけでなく磁気透過性及び透光性を発揮するために薄く、例えば１００μｍである。キーシート２１は筐体１２内に配置されている。
【００１３】
キートップ３１は、キートップ本体３２、鍔部３３、及び装飾部３４を備えている。キートップ本体３２は、透光性を有する合成樹脂材料により円柱状に形成されている。透光性を有する合成樹脂材料の具体例としては、ポリカーボネート、ＰＥＴ等の透明又は半透明な合成樹脂材料が挙げられる。キートップ本体３２は、筐体１２に形成された円形状の開口部１３内に配置されている。キートップ本体３２は、キーシート２１上において一軸線の回りに回動可能に配置されている。キートップ本体３２の表面上において周縁近傍には、円形状の操作凹部３５が形成されている。
【００１４】
鍔部３３は円環状をなし、キートップ本体３２の下部外周に設けられている。このため、鍔部３３は筐体１２内に位置している。鍔部３３は、キートップ本体３２と一体に形成されてもよいし、別体に形成されてもよい。キートップ本体３２と別体に形成されている鍔部３３は、前記透光性を有する合成樹脂材料により形成されてもよいし、不透光性を有する材料により形成されてもよい。不透光性を有する材料としては、シリコーンゴム等の合成ゴムやアルミニウム等の金属材料が挙げられる。尚、第１の実施形態における鍔部３３は、キートップ本体３２と一体に形成されている。
【００１５】
装飾部３４は、装飾部本体３４ａ、及び一対の記号装飾部３４ｂを備えている。装飾部本体３４ａは円板状をなし、キートップ本体３２及び鍔部３３の裏面に対向して配置されている。装飾部本体３４ａは、磁気透過性及び透光性を有する材料により形成されている。具体的には、装飾部本体３４ａは、前記透明又は半透明な合成樹脂フィルム、シート状をなすエラストマー成形体、又は金属シートからなる。金属シートからなる装飾部本体３４ａの厚さは、例えば１００μｍである。
【００１６】
一対の記号装飾部３４ｂは、キートップ本体３２の回動方向を示す矢印の形状をなし、装飾部本体３４ａの表面に設けられている。各記号装飾部３４ｂの表面は、キートップ本体３２の裏面に接着されている。各記号装飾部３４ｂの表面の色は黒色や紺色等の濃色である。
【００１７】
移動量検出装置は、４個の永久磁石４１、３個の磁気検出センサとしてのホール素子４２、及びホール素子４２から出力された信号を処理する電気回路４３から構成されている。各永久磁石４１は四角板状をなし、装飾部本体３４ａを介して鍔部３３の裏面に配置されている。具体的には、各永久磁石４１は、装飾部本体３４ａの裏面に取付けられている。さらに、各永久磁石４１は、鍔部３３の裏面に対向するとともに等角度間隔をおいて取付けられている。各永久磁石４１から発せられる磁力線の一部は、キーシート２１を透過して該キーシート２１の下方にまで常に到達している。
【００１８】
各ホール素子４２は、キーシート２１の下方に設けられた回路基板４４の表面に配置されている。各ホール素子４２は、鍔部３３の裏面に対向するとともに等角度間隔をおいてそれぞれ配置されている。回路基板４４は、電気絶縁性を有する材料により形成されている。具体的には、回路基板４４は、ＰＥＴフィルム等の合成樹脂フィルムやシート状をなすエラストマー成形体からなる。
【００１９】
電気回路４３は回路基板４４の表面に設けられている。電気回路４３は、各ホール素子４２から出力された信号を処理するＣＰＵ等の信号処理部４５と、各ホール素子４２及び信号処理部４５を接続する配線４６とを備えている。ここで、キーシート２１は、電気回路４３を覆うように形成されている。さらに、キーシート２１は、その外側縁にて筐体１２にシールされた状態で固定されている。回路基板４４の表面には、ホール素子４２及び電気回路４３以外にもＬＥＤ（発光ダイオード）等の発光素子４７が配置されている。発光素子４７は、発光により上方（筐体１２側）へ光を照射するように構成されている。
【００２０】
次に、ジョグダイヤルスイッチ１１の動作を説明する。
携帯電話で所定の入力操作を行うときには、キートップ本体３２の操作凹部３５上に指先を置いた後、キートップ本体３２を所定量回動させる。キートップ本体３２が回動されると、該キートップ本体３２とともに鍔部３３が回動される。そして、各ホール素子４２には、鍔部３３の回動により永久磁石４１が接近、又は離間する。このとき、永久磁石４１からは磁力線が常に発せられている。このため、各ホール素子４２は、磁力線を発する永久磁石４１の接近、又は離間に起因する磁界の変化を検知し、配線４６を介して信号処理部４５に信号を出力する。そして、この信号に基づいて、キートップ３１の回動量（移動量）が検出される。
【００２１】
また、暗所で入力操作を行うときには、発光素子４７を発光させる。発光素子４７から発せられた光は、図１（ｂ）に矢印で示すように、上方へ照射される。そして、光は、キーシート２１及び装飾部本体３４ａを透過した後、キートップ本体３２を透過して外方へ放射される。このため、キートップ３１は、暗所において容易に視認される。さらに、ジョグダイヤルスイッチ１１は、キートップ本体３２を光が透過するために、キートップ本体３２が不透光性を有する材料により形成されている場合に比べて見栄えがよく、意匠性が高められる。加えて、各記号装飾部３４ｂは、その表面の色が例えば黒色であるために、光が透過しているキートップ本体３２を外方から見たときに容易に視認される。
【００２２】
前記の実施形態によって発揮される効果について、以下に記載する。
・  第１の実施形態の各永久磁石４１は、装飾部本体３４ａを介して鍔部３３の裏面に設けられており、キーシート２１の上方に位置している。一方、回路基板４４はキーシート２１の下方に配置されている。キーシート２１は、防水性等を有する材料により、回路基板４４の表面に設けられた電気回路４３を覆うように形成され、その外側縁にて筐体１２にシールされた状態で固定されている。このため、開口部１３とキートップ本体３２との間から筐体１２に内に侵入した水や塵は、キーシート２１を透過したりその外側縁から電気回路４３上に流入したりすることがない。よって、水や塵が筐体１２内をキーシート２１の下方にまで侵入して電気回路４３に接触するのを容易に防止することができる。このため、ホール素子４２は、筐体１２内に水や塵が侵入した場合にも磁界の変化を検知して信号を出力することができる。一方、各永久磁石４１は、筐体１２内に侵入した水や塵が接触した場合にも磁力線を常に発する。このため、ジョグダイヤルスイッチ１１では、移動量検出装置の防水性及び防塵性を容易に高めることができる。
【００２３】
ここで、キーシート２１上に電気回路４３が設けられている従来の構成では、筐体１２内に侵入した水や塵から電気回路４３を保護するために、キーシート２１の表面にレジスト膜を形成することが考えられる。しかし、キーシート２１の表面に電気回路４３を形成した後さらにレジスト膜を形成する必要があるために、ジョグダイヤルスイッチ１１の製造が煩雑になる。これに対して、第１の実施形態のキーシート２１は、キートップ３１を支持する役割を担うとともに電気回路４３を保護する役割を担う。このため、回路基板４４にレジスト膜を形成する必要がなく、ジョグダイヤルスイッチ１１の製造を簡略化することができる。
【００２４】
・  第１の実施形態のキートップ３１は、透光性を有する合成樹脂材料により形成されている。また、鍔部３３は筐体１２内に位置しており、該筐体１２によって外方からの視認を抑制されている。永久磁石４１は鍔部の裏面に設けられている。このため、外方からは、キートップ本体３２を介してジョグダイヤルスイッチ１１の意匠性を高める各記号装飾部３４ｂだけが視認され、ジョグダイヤルスイッチ１１の意匠性を低下させる各永久磁石４１は視認されない。よって、ジョグダイヤルスイッチ１１の意匠性を高めることができる。
【００２５】
・  第１の実施形態の各記号装飾部３４ｂの表面は、キートップ本体３２の裏面に接着されている。このため、各記号装飾部３４ｂがキートップ本体３２の表面に設けられている場合に比べて、入力操作に伴う摩耗等による各記号装飾部３４ｂの損傷を容易に防止することができる。さらに、各記号装飾部３４ｂは、外方から容易に視認されるために、ジョグダイヤルスイッチ１１の意匠性を容易に高めることができる。
（第２の実施形態）
次に、本発明を携帯電話のジョグダイヤルスイッチ１１に具体化した第２の実施形態を図面に基づいて説明する。尚、第２の実施形態については、第１の実施形態と異なる点を中心に説明する。
【００２６】
図２（ａ）及び（ｂ）に示すように、キートップ３１は、キートップ本体３２、及び鍔部３３を備えている。移動量検出装置は、反射部材としての反射層５１、４個の光吸収層５２、３個の光検出センサとしての受光素子５３、光源としての発光素子４７、及び電気回路４３から構成されている。
【００２７】
反射層５１は、キートップ本体３２及び鍔部３３の裏面全体にわたって積層されている。反射層５１は、ＰＥＴ等の合成樹脂材料、又はアルミニウムやクロム等の金属材料により形成されている。合成樹脂材料からなる反射層５１の表面の色は、白色や黄色等の明色である。金属材料からなる反射層５１の厚みは５ｎｍ以上が好ましく、例えば２０ｎｍや４０ｎｍである。金属材料からなる反射層５１の厚みが５ｎｍ未満では、反射層５１の光反射率が６０％未満となる。よって、発光素子４７から照射された光が反射層５１をほとんど透過してしまうために、反射層５１は光を反射し難くなるおそれがある。アルミニウムからなり厚みが２０ｎｍの反射層５１の光反射率は８５〜９０％であり、アルミニウムからなり厚みが４０ｎｍの反射層５１の光反射率は９５％である。反射層５１の表面は、ジョグダイヤルスイッチ１１の意匠性を高める装飾面をなす。
【００２８】
各光吸収層５２は略四角形状をなし、反射層５１を介して鍔部３３の裏面に配置されている。具体的には、各光吸収層５２は、反射層５１の裏面に積層されている。さらに、各光吸収層５２は、鍔部３３の裏面に対向するとともに等角度間隔をおいて配置されている。各光吸収層５２は、吸光性を有する材料により形成されている。吸光性を有する材料としては、前記合成ゴムが挙げられる。
【００２９】
各受光素子５３は、キーシート２１の下方に設けられた回路基板４４の表面に配置されている。各受光素子５３は、鍔部３３の裏面に対向するとともに等角度間隔をおいて配置されている。電気回路４３は、各受光素子５３から出力された信号を処理する信号処理部４５と、各受光素子５３及び信号処理部４５を接続する配線４６とを備えている。
【００３０】
次に、ジョグダイヤルスイッチ１１の動作を説明する。
携帯電話で所定の入力操作を行うとき、発光素子４７は発光した状態にある。発光素子４７から発せられた光は、大部分がキーシート２１を透過した後に反射層５１によって下方へ反射されるものの、一部がキートップ本体３２に照射される。このとき、反射層５１と受光素子５３とが直接対向している場合は、反射層５１によって反射された光の一部が受光素子５３に入射される。また、図２（ｂ）に矢印で示すように、反射層５１と受光素子５３とが光吸収層５２を介して対向している場合、換言すれば、受光素子５３と光吸収層５２とが対向している場合は、光は光吸収層５２により吸収され、受光素子５３への入射量が低減される。
【００３１】
次いで、キートップ本体３２の操作凹部３５上に指先を置いた後、キートップ本体３２を所定量回動させる。キートップ本体３２が回動されると、該キートップ本体３２とともに鍔部３３が回動される。このため、各受光素子５３には、反射層５１と光吸収層５２とが交互に対向する。よって、各受光素子５３に入射される光の量は鍔部３３の回動に伴って変化する。各受光素子５３は光量の変化を検知し、配線４６を介して信号処理部４５に信号を出力する。そして、この信号に基づいて、キートップ３１の移動量が検出される。また、キートップ本体３２に照射された光は、キートップ本体３２を透過して外方へ放射される。このため、キートップ３１は、暗所において容易に視認される。
【００３２】
前記の実施形態によって発揮される効果について、以下に記載する。
・  第２の実施形態の光吸収層５２は、反射層５１を介して鍔部３３の裏面に設けられており、キーシート２１の上方に位置している。一方、回路基板４４はキーシート２１の下方に配置されている。このため、発光素子４７及び受光素子５３は、筐体１２内に水や塵が侵入した場合にも、発光したり光量の変化を検知して信号を出力したりすることができる。一方、反射層５１及び光吸収層５２は、筐体１２内に侵入した水や塵が接触した場合にも光を反射したり吸収したりすることができる。このため、ジョグダイヤルスイッチ１１では、防水性及び防塵性を高めることができる。
【００３３】
・  第２の実施形態のキートップ３１は、透光性を有する合成樹脂材料により形成されている。反射層５１の表面は装飾面を構成している。光吸収層５２は鍔部３３の裏面に設けられ、鍔部３３は筐体１２によって外方からの視認を抑制されている。このため、外方からは、キートップ本体３２を介して装飾面だけが視認され、ジョグダイヤルスイッチ１１の意匠性を低下させる光吸収層５２が視認されない。よって、ジョグダイヤルスイッチ１１の意匠性を高めることができる。
【００３４】
・  第２の実施形態の反射層５１は、キートップ本体３２及び鍔部３３の裏面に積層されている。このため、反射層５１がキートップ本体３２及び鍔部３３の表面に積層されている場合に比べて、入力操作に伴う摩耗等による反射層５１の損傷を容易に防止することができる。
【００３５】
なお、本実施形態は、次のように変更して具体化することも可能である。
・  第１の実施形態のキートップ本体３２のバックライトによる照明が不要な場合には、キーシート２１を、防水性、磁気透過性及び不透光性を有する材料により形成してもよい。このとき、発光素子４７は省略される。
【００３６】
・  第１の実施形態の装飾部本体３４ａの表面が、ジョグダイヤルスイッチ１１の意匠性を高める装飾面を構成してもよい。このように構成した場合には、装飾面がキートップ３１の下方に設けられるために、入力操作に伴う摩耗等による装飾面の損傷を容易に防止することができる。
【００３７】
・  第１の実施形態の永久磁石４１を、装飾部本体３４ａを介してキートップ本体３２の裏面に設けてもよい。このとき、永久磁石４１は、ジョグダイヤルスイッチ１１の意匠性を高める形状に形成されることが好ましい。このように構成した場合には、外方から装飾部本体３４ａを介して永久磁石４１を視認することにより、ジョグダイヤルスイッチ１１の意匠性を高めることができる。またこのとき、装飾部本体３４ａは、外方からの永久磁石４１の視認を抑制するために、不透光性を有する材料によって形成されてもよい。
【００３８】
・  第１の実施形態の装飾部３４を省略してもよい。このとき、各永久磁石４１は、鍔部３３の裏面に取付けられてもよいし、鍔部３３の内部に埋設されてもよい。またこのとき、キートップ本体３２の裏面に、ジョグダイヤルスイッチ１１の意匠性を高める装飾層を積層してもよい。装飾層は、塗料を用いたキートップ本体３２の裏面への印刷や該キートップ本体３２の裏面への金属材料の蒸着により形成される。印刷により形成された装飾層の厚みは例えば１μｍ以上４０μｍ未満であり、金属材料の蒸着により形成された装飾層の厚みは例えば１０〜８０ｎｍである。
【００３９】
・  第１の実施形態の装飾部３４をキートップ本体３２及び鍔部３３の内部に設けてもよい。
・  第１の実施形態の永久磁石４１やホール素子４２の個数を適宜に変更してもよい。また、第２の実施形態の光吸収層５２や受光素子５３の個数を適宜に変更してもよい。
【００４０】
・  第１の実施形態のホール素子４２をキーシート２１の裏面に接着してもよいし、キーシート２１の内部に埋設してもよい。また、第２の実施形態の受光素子５３をキーシート２１の裏面に接着してもよいし、キーシート２１の内部に埋設してもよい。
【００４１】
・  第１の実施形態の永久磁石４１の裏面に易滑層を形成してもよい。また、第２の実施形態の光吸収層５２の裏面に易滑層を形成してもよい。易滑層はシリコーン系、又はパラフィン系の合成材料により形成されている。易滑層の表面は摩擦係数が小さく滑り易い。このように構成した場合には、キートップ３１の回動を容易に行うことができる。
【００４２】
・  第２の実施形態の鍔部３３を省略してもよい。このとき、光吸収層５２は、反射層５１を介してキートップ本体３２の裏面に設けられる。また、各受光素子５３は、光吸収層５２に対向するように配置される。さらにこのとき、キートップ３１の筐体１２内からの脱落を防止するために、キートップ本体３２の形状を円錐台形等に変更することが好ましい。
【００４３】
・  第２の実施形態の光吸収層５２を、鍔部３３の裏面だけでなくキートップ本体３２の裏面にまで延長してもよい。このとき、図３（ａ）に示すように、光吸収層５２は、頂点がキートップ本体３２の中心に位置する三角形状等のように、ジョグダイヤルスイッチ１１の意匠性を高める形状に形成されることが好ましい。さらにこのとき、反射層５１は、照射された光の大部分を反射するものの、一部を透過するように構成されることが好ましい。このように構成した場合には、外方から反射層５１を介して光吸収層５２を視認することにより、ジョグダイヤルスイッチ１１の意匠性を高めることができる。
【００４４】
・  第２の実施形態の反射層５１を、キートップ本体３２及び鍔部３３の内部に設けてもよいし、キートップ本体３２及び鍔部３３の表面に積層してもよい。反射層５１をキートップ本体３２及び鍔部３３の表面に積層したときには、図４（ａ）及び（ｂ）に示すように、反射層５１の表面には、入力操作に伴う摩耗等により反射層５１の損傷を防止するために、保護層５４が積層されることが好ましい。保護層５４は、透光性を有する合成樹脂材料により形成されている。また、反射層５１には、ジョグダイヤルスイッチ１１の意匠性を高めるために装飾開口部５５が形成されるのが好ましい。装飾開口部５５の形状としては、キートップ本体３２の回動方向を示す矢印が挙げられる。このとき、発光素子４７から発せられた光の一部は、キーシート２１及びキートップ本体３２を透過した後、装飾開口部５５から外方へ放射される。このため、ジョグダイヤルスイッチ１１の意匠性が高められる。
【００４５】
・  第１及び第２の実施形態の発光素子４７を、キーシート２１の裏面に配置してもよいし、キーシート２１の下方に設けられた他の部材に配置してもよい。
・  第１及び第２の実施形態のキートップ本体３２を、入力操作用キートップ、及び回動支持キートップから構成してもよい。具体的には、図３（ｂ）に示すように、入力操作用キートップ３２ａは円環状に形成されている。一方、回動支持キートップ３２ｂは円柱状をなし、入力操作用キートップ３２ａ内に挿通されている。回動支持キートップ３２ｂの底面は、キーシート２１の表面に接着されている。そして、入力操作用キートップ３２ａは、回動支持キートップ３２ｂを回動中心としてキーシート２１上を回動するように構成されている。鍔部３３は、入力操作用キートップ３２ａの下部外周に設けられている。
【００４６】
・  第１及び第２の実施形態のジョグダイヤルスイッチ１１を、リモートコントローラ等の携帯電話以外の電子機器の入力操作に用いてもよい。
・  第１及び第２の実施形態のジョグダイヤルスイッチ１１を、キートップ３１が上下方向に移動するようなスイッチに具体化してもよい。このとき、必要に応じて永久磁石４１やホール素子４２等の配置を変更してもよい。
【００４７】
・  第１及び第２の実施形態の鍔部３３の形状を多角環状等に変更してもよい。また、鍔部３３を、キートップ本体３２の外周部の一部にのみ設けてもよい。このように構成した場合には、鍔部３３の外周縁が筐体１２に接触するときに、鍔部３３が円環状をなす場合に比べて筐体１２との間に発生する摩擦を小さくすることができる。
【００４８】
さらに、前記実施形態より把握できる技術的思想について以下に記載する。
・  前記キートップの下方には装飾部が設けられている請求項２に記載のキースイッチ。この構成によれば、キースイッチの意匠性を高めるとともに装飾部の損傷を容易に防止することができる。
【００４９】
・  請求項１から請求項４のいずれか一項に記載のキースイッチを有する電子機器。この構成によれば、筐体内に水や塵が侵入したときにも入力操作を確実に行うことができる。
【図面の簡単な説明】
【００５０】
【図１】（ａ）は第１の実施形態のジョグダイヤルスイッチを示す平面図、（ｂ）は、図１（ａ）のＡ−Ａ線における断面図。
【図２】（ａ）は第２の実施形態のジョグダイヤルスイッチを示す平面図、（ｂ）は、図２（ａ）のＢ−Ｂ線における断面図。
【図３】（ａ）は光吸収層の別例を示す縮小背面図、（ｂ）はキートップ本体の別例を示す縮小断面図。
【図４】（ａ）はジョグダイヤルスイッチの別例を示す縮小平面図、（ｂ）は図４（ａ）のＣ−Ｃ線における断面図。
【符号の説明】
【００５１】
１１…キースイッチとしてのジョグダイヤルスイッチ、１２…筐体、２１…キーシート、３１…キートップ、３３…鍔部、４１…永久磁石、４２…磁気検出センサとしてのホール素子、４３…電気回路、４７…光源としての発光素子、５１…反射部材としての反射層、５３…光検出センサとしての受光素子。
【図１】
2006073251.tif 000003
【図２】
2006073251.tif 000004
【図３】
2006073251.tif 000005
【図４】
2006073251.tif 000006